(57)【要約】【課題】レーザーの光路が長くなった場合であっても、簡単に安定してレーザーによる絶縁被膜が除去できる方法およびその装置を提供することを目的とする。【解決手段】レーザー照射部１０から照射されたレーザー１１が、略上半分の絶縁被膜２２に当たる。そして、レーザー１１が絶縁被膜２２を局部的に熱することによって、略上半分の絶縁被膜２２が除去される。次に、絶縁被膜導線２０を当たらなかったレーザー１１が、反射面３１５で反射される。そして、反射面３１で反射されたレーザー１２は、略下半分の絶縁被膜２２に当たる。そして、レーザー１２が絶縁被膜２２を局部的に熱することによって、略下半分の絶縁被膜２２が除去される。【選択図】図１
2013223309.tif 000002
【特許請求の範囲】
【請求項１】
レーザーの照射によって絶縁被膜が施された導線の該絶縁被膜を除去する絶縁被膜除去装置であって、
レーザーを照射するレーザー照射部と、
照射されたレーザーを遮蔽する遮蔽体と、
該遮蔽体に設けられ上記レーザーを通過させる貫通口と、
上記レーザーを上記導線側に反射する反射部と、
を備えていることを特徴とする、絶縁被膜除去装置。
【請求項２】
前記レーザー照射部から照射されたレーザーが前記反射部で反射される前に、当該レーザーを透過させる透過部と、
を備えていることを特徴とする、請求項１記載の絶縁被膜除去装置。
【請求項３】
前記透過部の前記反射部と対向する面は、凸面あるいは少なくても１つ以上の平面からなり、かつ前記レーザー照射部から照射される前記レーザーの光軸に対する角度が６０度から９０度からなる、
ことを特徴とする、請求項２に記載の絶縁被膜除去装置。
【請求項４】
前記反射部は、少なくても１つ以上の平面からなり、前記レーザーの光軸に対する角度が６０度から９０度からなる、
ことを特徴とする、請求項１または請求項２に記載の絶縁被膜除去装置。
【請求項５】
前記透過部の反射部と対向する面及び、前記反射部の反射面のいずれか一方、あるいは両方に、前記レーザーの光軸に対して角度が設けられている、
ことを特徴とする、請求項３または請求項４に記載の絶縁被膜除去装置。
【請求項６】
前記貫通口に、前記透過部と前記反射部を両方備える、
ことを特徴とする、請求項２から請求項５に記載の絶縁被膜除去装置。
【請求項７】
レーザーの照射によって、絶縁被膜導線の被膜を除去する方法であって、
該絶縁被膜導線を、該貫通口の上側に配置する工程と、
該レーザーを、該絶縁被膜導線側に向けて照射する工程と、
該レーザーによって、該絶縁被膜導線の略上半分の該絶縁被膜を除去する工程と、
該絶縁被膜導線に当たらなかった該レーザーが、該貫通口あるいは該貫通口に設けられた該透過体を通り、該反射部で反射する工程と、
該反射部で反射されたレーザーによって、該絶縁被膜導線の略下半分の該絶縁被膜を除去する工程と、
を含む絶縁被膜除去方法。
【発明の詳細な説明】
【技術分野】
【０００１】
本発明は、エナメル線やビニール線等の外周を絶縁被膜で覆われた絶縁被膜導線の絶縁被膜を除去する絶縁被膜除去装置及びその除去方法に関するものである。
【背景技術】
【０００２】
従来、レーザーを用いて導線の外周に設けられた絶縁被膜を除去する方法は、例えば図１１（ａ）のように被膜全体にレーザーが当たるよう、導線の周囲にレーザーの行路を遮るものがない状態で、絶縁被膜導線の上面からのレーザーを照射すると共に、絶縁被膜導線の下面に凹面状、あるいは光軸に対して斜傾した反射板等を設置する方法を用いている。（例えば、引用文献１、引用文献２等）。
【０００３】
このようにすることによって、レーザーの照射回数を減らすことができ、生産工数の低減が図れる。
【先行技術文献】
【特許文献】
【０００４】
【特許文献１】特開２００７−２９６５５６号
【特許文献２】特開平６−５５２８１号
【発明の概要】
【発明が解決しようとする課題】
【０００５】
しかし、図１１（ｂ）に示すように、絶縁被膜導線の周囲に、例えば冶工具などレーザーの光路を遮る遮蔽体１が存在し、レーザー照射部から反射部までの光路が長くなると、レーザーの照射位置制御や、反射部の機械的寸法による調整が難しく、絶縁被膜導線のレーザー照射方向に対して背面側の絶縁被膜に確実にレーザーを当てることが困難であった。レーザーが被膜に当たらず被膜除去が不十分になると、後の製品において、導体線が接続された電気的接点において機械的強度が不足し、電気的な障害が発生するという問題があった。
【０００６】
さらに、レーザーの照射によって飛散した被膜の残渣が反射板に付着し、レーザー照射側からみて背面側の絶縁被膜にレーザーが当たらず被膜除去が不十分で、後の製品において、導体線が接続された電気的接点において機械的強度が不足し、電気的な障害が発生するという問題があった。
【０００７】
本発明は、上記事情に鑑みてなされたものであり、レーザーの光路が遮蔽体によって遮られた場合であっても、レーザーによる絶縁被膜を安定して良好に行うことが可能な除去装置およびその除去方法を提供することを目的とする。
【課題を解決するための手段】
【０００８】
上記課題を解決するため、本発明に係る絶縁被膜除去装置及びその除去方法は、以下の特徴を備えている。
【０００９】
本発明は、レーザーの照射によって絶縁被膜が施された導線の該絶縁被膜を除去する絶縁被膜除去装置であって、
レーザーを照射するレーザー照射部と、
照射されたレーザーを遮蔽する遮蔽体と、
該遮蔽体に設けられ上記レーザーを通過させる貫通口と、
上記レーザーを上記導線側に反射する反射部と、を備えている。
【００１０】
また、他の発明は上述の発明に加えて、前記レーザー照射部から照射されたレーザーが前記反射部で反射される前に、当該レーザーを透過させる透過部とを備えている。
【００１１】
また、他の発明は上述の発明に加えて、  前記透過部の前記反射部と対向する面は、凸面あるいは少なくても１つ以上の平面からなり、かつ前記レーザー照射部から照射される前記レーザーの光軸に対する角度が６０度から９０度からなることを特徴としている。
【００１２】
また、他の発明は上述の発明に加えて、前記反射部は、少なくても１つ以上の平面からなり、前記レーザーの光軸に対する角度が６０度から９０度からなることを特徴としている。
【００１３】
また、他の発明は上述の発明に加えて、前記透過部の反射部と対向する面及び、前記反射部の反射面のいずれか一方、あるいは両方に、前記レーザーの光軸に対して角度が設けられていることを特徴としている。
【００１４】
また、他の発明は上述の発明に加えて、前記貫通口に、前記透過部と前記反射部を両方備えることを特徴としている。
【００１５】
また、本発明の絶縁被膜除去方法は、レーザーの照射によって、絶縁被膜導線の被膜を除去する方法であって、
該絶縁被膜導線を、該貫通口の上側に配置する工程と、
該レーザーを、該絶縁被膜導線側に向けて照射する工程と、
該レーザーによって、該絶縁被膜導線の略上半分の該絶縁被膜を除去する工程と、
該絶縁被膜導線に当たらなかった該レーザーが、該貫通口あるいは該貫通口に設けられた該透過体を通り、該反射部で反射する工程と、
該反射部で反射されたレーザーによって、該絶縁被膜導線の略下半分の該絶縁被膜を除去する工程と、
を含む。
【発明の効果】
【００１６】
以上のように、本発明によれば、遮蔽部に貫通口を設け、レーザーを導線側に反射する反射部を備えているため、貫通口に対する絶縁被膜導線の配置位置が変化しても、絶縁被膜を確実に除去することができる。
【００１７】
さらに、本発明によれば、遮蔽体の微小な貫通口に透過部を設け、透過部にレーザーを通すことによって、レーザー照射部から反射部までの光路が長くなっても、レーザーを略垂直に屈折させることができる。そのため、レーザーの照射位置制御や、反射部の機械的寸法による調整の自由度が広がり、安定してレーザーを絶縁被膜に照射することが可能になり、絶縁被膜をより確実に除去することができる。
【００１８】
さらに、本発明によれば、該貫通口に該透過部を設けることによって、該絶縁被膜剥離後の被膜の残渣が該反射部に付着することを防止することができる。したがって、連続して安定に被膜除去ができることによって、生産効率の向上を図れる。
【００１９】
さらに、本発明によれば、該貫通口に該透過部と反射部を両方備えることによって、装置が簡略化することができる。したがって、装置のコストダウン化が図れる。
【００２０】
さらに、本発明によれば、該遮蔽体を回転させることによって、該透過部に付着した該被膜の残渣を落とすことができる。したがって、より連続して安定に被膜除去ができることによって、生産効率の向上を図れる。
【図面の簡単な説明】
【００２１】
【図１】本発明の第１の実施例を示した説明図である。
【図２】本発明の第２の実施例を示した説明図で、（ａ）は透過部下面を光軸に対して垂直とし、かつ反射面に角度を設けた構成を示し、（ｂ）は反射面を光軸に対して垂直とし、かつ透過部下面に角度を設けた構成を示す。
【図３】本発明の第２の実施例で遮蔽体が傾いた状態を示した説明図である。
【図４】本発明の第３の実施例を示した説明図である。
【図５】本発明の第４の実施例を示した説明図で、（ａ）は透過部下面を光軸に対して垂直とし、かつ反射面に角度を設けた構成を示し、（ｂ）は反射面を光軸に対して垂直とし、かつ透過部下面に角度を設けた構成を示す。
【図６】本発明の第４の実施例で遮蔽体が傾いた状態を示した説明図である。
【図７】本発明の透過部の変形例を示した説明図である。
【図８】本発明の反射部の変形例を示した説明図である。
【図９】本発明の第２の実施例で反射部の配置の変形例を示した説明図である。
【図１０】本発明の第４の実施例の変形例を示した説明図である。
【図１１】従来の技術を示した説明図である。
【発明を実施するための最良の形態】
【００２２】
以下、本発明を実施するための最良の形態の例について図面を参照して説明する。なお、各図面に示す矢印においてＵ側は上方向を表し、Ｂ側は下方向を表す。なお、本発明は以下の例に限定されるものではないことは言うまでもない。
【実施例１】
【００２３】
まず、本発明に係る絶縁被膜除去装置の第１の実施の形態について説明する。
【００２４】
図１は、本発明に係る絶縁被膜除去装置１００の第１の実施例を示した図で、装置をレーザーの照射方向から断面にして、側面から見た図である。
【００２５】
絶縁被膜除去装置１００は、レーザー照射部１０と、レーザー１１を遮蔽する例えば治具などの遮蔽体１にレーザー１１照射方向と概ね水平に設けられた貫通口２と、遮蔽体１よりも下側に設けられた反射部３０とを備える。
【００２６】
そして、絶縁被膜導線２０は、貫通口２の上側で、レーザー１１の光路上に配置される。
【００２７】
反射部３０は、レーザー１１を反射する２つの反射面３１，３１を有している。これらの反射面３１，３１は、レーザー１１の光軸に対して所定の角度θ２をなして対向している。
【００２８】
この構成によりレーザー照射部１０から照射され、絶縁被膜導線２０に当たらず反射面３１，３１に入射したレーザー１１が軌道を変えられて、絶縁被膜導線２０に導かれる。
【００２９】
なお、反射面３１は、レーザー１１の光軸に対する角度θ２が、６０度から９０度が好適である。
【００３０】
装置の原理を説明する。
【００３１】
レーザー照射部１０から照射されたレーザー１１は、絶縁被膜導線２０のレーザー照射部１０側の略上半分の絶縁被膜２２に当たる。
そして、レーザー１１が、絶縁被膜２２を局部的に熱することによって、絶縁被膜導線２０のレーザー照射部１０側の略上半分の絶縁被膜２２が除去される。
【００３２】
次に、絶縁被膜導線２０に当たらなかったレーザー１１は、貫通口２を通過した後、反射面３１で反射される。そして、反射面３１で反射したレーザー１２は、貫通口２を通過した後、絶縁被膜導線２０のレーザー照射部１０側から見て背面側の略下半分の絶縁被膜２２に当たる。
そして、レーザー１２が絶縁被膜２２を局部的に熱し、絶縁被膜導線２０のレーザー照射部１０側から見て背面側の略下半分の絶縁被膜２２が除去される。
【００３３】
こうすることによって、絶縁被膜導線２０が上下方向あるいは横方向にずれた場合や、絶縁被膜導線２０が貫通口２の上部を斜めに横断するような場合であっても、レーザー照射部１０からみて背面側の絶縁被膜２２に確実にレーザー１２が当たるようにすることができる。したがって、絶縁被膜２２を確実に除去できる。
【実施例２】
【００３４】
次に、本発明に係る絶縁被膜除去装置の第２の実施の形態について、図２を用いて説明する。
【００３５】
第２の実施例は、第１の実施例の変形例である。図２は、本発明に係る絶縁被膜除去装置１００の第２の実施例を示した図で、装置をレーザーの照射方向から断面にして、側面から見た図である。
【００３６】
絶縁被膜除去装置１０１は、レーザー照射部１０と、レーザー１１を遮蔽する例えば治具などの遮蔽体１にレーザー照射方向と概ね水平に設けられた貫通口２と、貫通口２内に固定された透過部４０と、遮蔽体１よりも下側に設けられた反射部３０とを備える。
【００３７】
そして、絶縁被膜導線２０は、貫通口２の上側で、レーザーの光路上に配置される。
【００３８】
反射部３０は、レーザー１１を反射する２つの反射面３１，３１を有している。これらの反射面３１，３１は、レーザー１１の光軸に対して所定の角度θ２をなして対向している。
【００３９】
透過部４０は、レーザー１１を透過する材質で構成されている。透過部４０は、レーザー照射部１０から照射されたレーザー１１の光軸に対してほぼ垂直に設けられる透過部上面４１を有している。
【００４０】
また、透過部４０は、反射部３０と対向配置される透過部下面４２を有している。この透過部下面４２は、図２（ａ）に示すように、レーザー１１の光軸に対して略垂直としても良いし、また、図２（ｂ）に示すように所定の角度を備えた屈折面としてもよい。
【００４１】
この構成により、レーザー照射部１０から照射され、絶縁被膜導線２０に当たらず反射面３１，３１に入射したレーザー１１が軌道を変えられて、絶縁被膜導線２０に導かれる。
【００４２】
なお、透過部下面４２は、レーザー１１の光軸に対する角度θ１が、６０度から９０度であることが好適である。また、反射面３１は、レーザー１１の光軸に対する角度θ２が、６０度から９０度が好適である。
【００４３】
ただし、透過部下面４２と反射面３１が、いずれも９０度となることはなく、透過部下面４２と反射面３１のいずれか一方、あるいは両方に角度が設けられている。
【００４４】
装置の原理を説明する。
【００４５】
レーザー照射部１０から照射されたレーザー１１は、絶縁被膜導線２０のレーザー照射部１０側の略上半分の絶縁被膜２２に当たる。
そして、レーザー１１が絶縁被膜２２を局部的に熱することによって、絶縁被膜導線２０のレーザー照射部１０側の略上半分の絶縁被膜２２が除去される。
【００４６】
次に、絶縁被膜導線２０に当たらなかったレーザー１１は、透過部４０を透過する。そして、図２（ａ）に示すように、透過部下面４２がレーザー１１の光軸に対し垂直で、かつ反射面３１，３１が所定の角度θ２となる屈折面で形成されている場合、レーザー１１は屈折せずに透過部４０を通過し、反射面３１，３１で所定の角度で反射し、さらに透過部下面４２で屈折して絶縁被膜導線２０の略下半分の方向へ導かれる。
【００４７】
なお、図２（ｂ）に示すように、透過部下面４２がレーザー１１の光軸に対し所定の角度θ１となるように構成され、かつ反射面３１を光軸に対して垂直としてもよい。このように構成すると、レーザー１１は、透過部下面４２で屈折し、反射面３１で反射し、さらに透過部下面４２で屈折する。図２（ａ）で示した場合と同様に、絶縁被膜導線２０の略下半分の方向へ導かれる。
【００４８】
このように、反射面３１で反射したレーザー１２は、透過部４０によって屈折し、おおむねレーザー照射方向と平行になる。レーザー１２は、絶縁被膜導線２０のレーザー照射部１０側から見て背面側の略下半分の絶縁被膜２２に当たる。
そして、レーザー１２が絶縁被膜２２を局部的に熱することによって、絶縁被膜導線２０のレーザー照射部１０側から見て背面側の略下半分の絶縁被膜２２が除去される。
【００４９】
こうすることによって、絶縁被膜導線２０が上下方向あるいは横方向にずれた場合や、絶縁被膜導線２０が貫通口２の上部を斜めに横断するような場合であっても、レーザー照射方向の背面側の絶縁被膜２２に確実にレーザーが当たるようにすることができる。したがって、絶縁被膜２２をより確実に除去できる。また、絶縁被膜２２の残渣が反射部３０に付着せず、連続して安定に被膜除去ができる。
【００５０】
このとき、反射されたレーザー１２は、レーザー１１の光軸に対して、０度から１０度の範囲であることが好適で、さらに０度から５度の範囲であればより好適である。
【００５１】
なお、図３に示すように、絶縁被膜除去装置１０１は、レーザー１１の光軸に対して、遮蔽体１が傾いて配置されてもよい。
【００５２】
このようにすると、レーザー照射部１０から照射されたレーザー１１は、透過部上面４１に入射した際に当該上面４１で屈折し、さらに反射面３１で反射したレーザー１２が透過部下面４２と透過部上面４１で屈折することによって、レーザーの光路を調整することができる。このため、レーザー照射方向の背面側の絶縁被膜２２に一様にレーザーが当たるようにすることができる。したがって、より安定して被膜除去ができる。
【００５３】
さらに、絶縁被膜除去装置１０１は、遮蔽体１をレーザー照射方向の軸、あるいはレーザー照射方向の軸に対して垂直なる軸に対して回転させてもよい。
【００５４】
こうすることによって、レーザーよる絶縁被膜２２の除去によって透過部上面４１に付着する絶縁被膜の残渣を、取り除くことができる。
【実施例３】
【００５５】
次に、本発明に係る絶縁被膜除去装置の第３の実施の形態について、図４を用いて説明する。
【００５６】
第３の実施例は、第１の実施例の変形例である。図４は、本発明に係る絶縁被膜除去装置２００の第３の実施例を示した図で、装置をレーザーの照射方向から断面にして、側面から見た図である。
【００５７】
絶縁被膜除去装置２００は、レーザー照射部１０と、レーザー１１を遮蔽する例えば治具などの遮蔽体１にレーザー照射方向と概ね水平に設けられた貫通口２と、貫通口２内に固定された反射部３４とを備える。
【００５８】
そして、絶縁被膜導線２０は、貫通口２の上側で、レーザーの光路上に配置される。
【００５９】
反射部３４は、レーザー１１を反射する２つの反射面３５、３５を有している。これらの反射面３５、３５は、レーザー１１の光軸に対して所定の角度θ２をなして対向している。
【００６０】
この構成によりレーザー照射部１０から照射され、絶縁被膜導線２０に当たらず反射面３５，３５に入射したレーザー１１が軌道を変えられて、絶縁被膜導線２０に導かれる。
【００６１】
なお、反射面３５は、レーザー１１の光軸に対する角度θ２が、６０度から９０度が好適である。
【００６２】
装置の原理を説明する。
【００６３】
レーザー照射部１０から照射されたレーザー１１は、絶縁被膜導線２０のレーザー照射部１０側の略上半分の絶縁被膜２２にあたる。
そして、レーザー１１が、絶縁被膜２２を局部的に熱することによって、絶縁被膜導線２０のレーザー照射部１０側の略上半分の絶縁被膜２２が除去される。
【００６４】
次に、絶縁被膜導線２０に当たらなかったレーザー１１は、反射面３５で反射される。そして、反射面３５で反射したレーザー１２は、絶縁被膜導線２０のレーザー照射部１０側から見て背面側の略下半分の絶縁被膜２２に当たる。
そして、レーザー１２が絶縁被膜２２を局部的に熱し、絶縁被膜導線２０のレーザー照射部１０側から見て背面側の略下半分の絶縁被膜２２が除去される。
【００６５】
こうすることによって、絶縁被膜導線２０が上下方向あるいは横方向にずれた場合や、絶縁被膜導線２０が貫通口２の上部を斜めに横断するような場合であっても、レーザー照射方向の背面側の絶縁被膜２２に確実にレーザー１２が当たるようにすることができる。したがって、絶縁被膜２２を確実に除去できる。さらに、絶縁被膜装置２００を小型にすることができる。
【実施例４】
【００６６】
次に、本発明に係る絶縁被膜除去装置の第４の実施の形態について、図５を用いて説明する。
【００６７】
第４の実施例は、第２の実施例と第３の実施例の特徴を合わせ備えた変形例である。図５は、本発明に係る絶縁被膜除去装置２０１の第４の実施例を示した図で、装置をレーザーの照射方向から断面にして、側面から見た図である。
【００６８】
絶縁被膜除去装置２０１は、レーザー照射部１０と、レーザー１１を遮蔽する例えば治具などの遮蔽体１にレーザー照射方向と概ね水平に設けられた貫通口２と、貫通口２内に固定された透過部４０と、貫通口２内の透過部４０の下側に固定された反射部３４とを備える。
【００６９】
そして、絶縁被膜導線２０は、貫通口２の上側で、レーザーの光路上に配置される。
【００７０】
反射部３４は、レーザー１１を反射する２つの反射面３５，３５を有している。これらの反射面３５，３５は、レーザー１１の光軸に対して所定の角度θ２をなして対向している。
【００７１】
透過部４０は、レーザー１１を透過する材質で構成されている。透過部４０は、レーザー照射部１０から照射されたレーザー１１の光軸に対してほぼ垂直に設けられる透過部上面４１を有している。
【００７２】
また、透過部４０は、反射部３４と対向配置される透過部下面４２を有している。この透過部下面４２は、図５（ａ）に示すように、レーザー１１の光軸に対して略垂直としても良いし、また、図５（ｂ）に示すように所定の角度を備えた屈折面としてもよい。
【００７３】
この構成によりレーザー照射部１０から照射され、絶縁被膜導線２０に当たらず反射面３１，３１に入射したレーザー１１が軌道を変えられて、絶縁被膜導線２０に導かれる。
【００７４】
なお、透過部下面４２は、レーザー１１の光軸に対する角度θ１が、６０度から９０度であることが好適である。また、反射面３５は、レーザー１１の光軸に対する角度θ２が、６０度から９０度が好適である。
【００７５】
ただし、透過部下面４２と反射面３５が、いずれも９０度となることはなく、透過部下面４２と反射面３５のいずれか一方、あるいは両方に角度が設けられている。
【００７６】
装置の原理を説明する。
【００７７】
レーザー照射部１０から略垂直に照射されたレーザー１１は、絶縁被膜導線２０のレーザー照射部１０側の略上半分の絶縁被膜２２に当たる。
そして、レーザー１１が絶縁被膜２２を局部的に熱することによって、絶縁被膜導線２０のレーザー照射部１０側の略上半分の絶縁被膜２２が除去される。
【００７８】
次に、絶縁被膜導線２０に当たらなかったレーザー１１は、透過部４０を透過する。そして、図５（ａ）に示すように、透過部下面４２がレーザー１１の光軸に対し垂直で、かつ反射面３５，３５が所定の角度θ２となる屈折面で形成されている場合、レーザー１１は屈折せずに透過部４０を通過し、反射面３５，３５で所定の角度で反射し、さらに透過部下面４２で屈折して絶縁被膜導線２０の略下半分の方向へ導かれる。
【００７９】
なお、図５（ｂ）に示すように、透過部下面４２がレーザー１１の光軸に対し所定の角度θ１となるように構成され、かつ反射面３５を光軸に対して垂直としてもよい。このように構成すると、レーザー１１は、透過部下面４２で屈折し、反射面３５で反射し、さらに透過部下面４２で屈折する。図５（ａ）で示した場合と同様に、絶縁被膜導線２０の略下半分の方向へ導かれる。
【００８０】
このように、反射面３５で反射したレーザー１２は、透過部４０によって屈折し、おおむねレーザー照射方向と平行になる。レーザー１２は、絶縁被膜導線２０のレーザー照射部１０側から見て背面側の略下半分の絶縁被膜２２に当たる。
そして、レーザー１２が絶縁被膜２２を局部的に熱することによって、絶縁被膜導線２０のレーザー照射部１０側から見て背面側の略下半分の絶縁被膜２２が除去される。
【００８１】
こうすることによって、絶縁被膜導線２０が上下方向あるいは横方向にずれた場合や、絶縁被膜導線２０が貫通口２の上部を斜めに横断するような場合であっても、レーザー照射方向の背面側の絶縁被膜２２に確実にレーザーが当たるようにすることができる。したがって、絶縁被膜２２をより確実に除去できる。また、絶縁被膜２２の残渣が反射部３４に付着せず、連続して安定に被膜除去ができる。さらに、絶縁被膜装置２０１を小型にすることができる。
【００８２】
このとき、反射されたレーザー１２は、レーザー１１の光軸に対して、０度から１０度の範囲であることが好適で、さらに０度から５度の範囲であればより好適である。
【００８３】
なお、図６に示すように、絶縁被膜除去装置２０１は、レーザー１１の光軸に対して、遮蔽体１が傾いて配置されてもよい。
【００８４】
このようにすると、レーザー照射部１０から照射されたレーザー１１は、透過部上面４１に入射した際に当該上面４１で屈折し、さらに反射面３５で反射したレーザー１２が透過部下面４２と透過部上面４１で屈折することによって、レーザーの光路を調整することができる。このため、レーザー照射方向の背面側の絶縁被膜２２に一様にレーザーが当たるようにすることができる。したがって、より安定して被膜除去ができる。
【００８５】
さらに、絶縁被膜除去装置２０１は、遮蔽体１をレーザー照射方向の軸、あるいはレーザー照射方向の軸に対して垂直なる軸に対して回転させてもよい。
【００８６】
こうすることによって、レーザーよる絶縁被膜２２の除去によって、透過部上面４１に付着する絶縁被膜の残渣を、取り除くことができる。
【００８７】
以上のような絶縁被膜導線の絶縁被膜除去装置１００，１０１，２００，２０１によって絶縁被膜２２が除去された導体２１の表面は、レーザー照射方向側（各図において上側）では直径Φ０．００５ｍｍからΦ０．１ｍｍの小さなくぼみが無数存在し、レーザー照射方向の背面側（各図において下側）では、小さなくぼみは存在しない。これは、反射したレーザー１２が、直接照射されたレーザー１１よりもエネルギーが小さくなるため発生する現象である。
【００８８】
また、反射や屈折の状況により、被膜除去された導体２１の露出部が、レーザー照射方向側とレーザー照射方向の背面側で若干ずれる。
【００８９】
本発明は、以上のような特徴を備えるだけでなく以下の特徴を合わせて備える。
【００９０】
本発明の実施形態において、レーザー照射部から発するレーザー１１は、ＹＧＭ赤外線レーザーが好適で、特に波長が１０６４ｎｍのレーザーがより好適である。
【００９１】
また、本発明の実施形態において、絶縁被膜導線２０は、銅等からなる導体２１の外周を例えばポリエステル、エステルイミド等の絶縁被膜２２で覆ったエナメル電線が好適である。また、絶縁被膜２２の色は、赤外線を吸収しやすい青または緑が好適である。さらに、絶縁被膜導線２０の導体直径は、０．０２５ｍｍから０．１ｍｍが好適で、０．０３ｍｍから０．０６がより好適である。
【００９２】
また、本発明の実施形態において、透過部４０は、図７（ａ）に示すような透過部下面４３が凸形状や、あるいは図７（ｂ）に示すような透過部下面４４がレーザー照射方向に対して１面に傾いているような形状であってもよい。透過部下面４４の上下方向の軸に対する角度θ１は、６０度から９０度であることが好適である。
【００９３】
また、本発明の実施形態において、反射部３４は、図８（ａ）に示すような反射面３２が凹形状や、あるいは図８（ｂ）に示すような反射面３３がレーザー照射方向に対して１面に傾いているような形状であってもよい。 反射面３３のレーザー１１の光軸に対する角度θ２は、６０度から９０度であることが好適である。
【００９４】
ただし、透過部下面４４と反射面３３が、いずれも９０度となることはなく、透過部下面４４と反射面３３のいずれか一方、あるいは両方に角度が設けられている。
【００９５】
また、本発明の実施形態において、半反射部３０は、図９（ａ）、図９（ｂ）に示すように、レーザー照射部１０側からみて、遮蔽体１を避けた位置に配置してもよい。
【００９６】
この場合、レーザー照射部１０から照射されたレーザー１１は、遮蔽体１の側面を通り、反射面３１で反射される。そして、反射面３１で反射されたレーザー１２が透過部４０によって屈折し、レーザー１２がおおむねレーザー照射方向と平行になる。
【００９７】
このようにすることによって、貫通口２が狭小であっても、絶縁除去ができる。
【００９８】
さらに、透過部下面４３が凸面である場合は、反射面３３はレーザー１１の光軸に対する角度が９０度である1面からなることがより好適である。
【００９９】
なお、本発明の実施形態において、図１０に示すように貫通口２にプリズムレンズ５０を固定してもよい。プリズムレンズ下面５１の先端の角度は９０度をなしている。このようすると、他の実施例のような反射部が不要になり、装置の部品構成を少なくすることが可能である。
【０１００】
また、本発明の実施形態において、反射部３０，３４は、光学ミラーからなることが好適である。
【０１０１】
また、本発明の実施形態において、貫通口２の開口部は、円形が好適である。そして、貫通口２の開口面積は、９平方ｍｍ以下であることが好適である。
【０１０２】
なお、本発明の実施形態において、反射部３０，３４は、プリズムレンズでもよい。
【０１０３】
なお、本発明の実施形態において、透過部上面４１は、平面に限らず、凸面や尖頭形状でもよい。
【０１０４】
なお、本発明の実施形態において、透過部４０は、レーザーを透過できればよく、ガラス、光学レンズ、ハーフミラーなどでもよい。
【０１０５】
なお、本発明の実施形態において、貫通口２の開口部は、円形や限らず、楕円形や、四角形，三角形などの多角形でもよい。
【符号の説明】
【０１０６】
１                      遮蔽体
２                      貫通口
１０，１３              レーザー照射部
１１，１２，１４，１５  レーザー
２０                    絶縁被膜導線
２１                    導体
２２                    絶縁被膜
３０，３４，３６        反射部
３１，３２，３３，３５，３３，３７  反射面
４０                    透過部
４１                    透過部上面
４２，４３，４４        透過部下面
５０                    プリズムレンズ
５１                    プリズムレンズ下面
５２                    プリズムレンズ上面
θ１                   透過部下面のレーザーの光軸に対する角度
θ２                   反射面のレーザーの光軸に対する角度
１００，１０１，２００，２０１，３００  絶縁被膜除去装置
４００                  従来の絶縁被膜除去装置
【図１】
2013223309.tif 000003
【図２】
2013223309.tif 000004
【図３】
2013223309.tif 000005
【図４】
2013223309.tif 000006
【図５】
2013223309.tif 000007
【図６】
2013223309.tif 000008
【図７】
2013223309.tif 000009
【図８】
2013223309.tif 000010
【図９】
2013223309.tif 000011
【図１０】
2013223309.tif 000012
【図１１】
2013223309.tif 000013